(57)【要約】【課題】多角形状の照明器具の向きを部屋の形状に合わせて容易に補正することができる照明器具を提供する。【解決手段】天井面に取り付けられた引掛シーリングボディーに取り付けられる引掛シーリングキャップと；前記引掛シーリングキャップに回転自在に取り付けられる回転部と；前記回転部に一端側を固定されて設けられるワイヤーと；前記ワイヤーの他端側に、水平姿勢に保たれるように吊り下げられる略多角形状の本体と；前記本体に取り付けられる多角形状のセードと；を具備することによって照明器具の向きを部屋の形状に合わせて容易に補正することができる【選択図】図１
2008071604.tif 000002
【特許請求の範囲】
【請求項１】
天井面に取り付けられた引掛シーリングボディーに取り付けられる引掛シーリングキャップと；
前記引掛シーリングキャップに回転自在に取り付けられる回転部と；
前記回転部に一端側を固定されて設けられるワイヤーと；
前記ワイヤーの他端側に吊り下げられる多角形状の本体と；
前記本体に取り付けられる多角形状のセードと；
を具備することを特徴とする照明器具。
【請求項２】
前記回転部と前記引掛シーリングキャップとのどちらか一方に設けられた係止部と；
前記回転部と前記引掛シーリングキャップとのどちらか他方に設けられた前記係止部が係止する被係止部を有する回転部係止機構と；
を具備することを特徴とする請求項１記載の照明器具。
【発明の詳細な説明】
【技術分野】
【０００１】
本発明は、天井から吊り下げられる照明器具に関する。
【背景技術】
【０００２】
従来、天井から吊り下げられる照明器具として、天井に一端側を固定された数本のワイヤーで水平姿勢を保ったまま吊り下げられるものがある。このような照明器具では、天井に一端を固定された数本のワイヤーで水平を保ったまま吊り下げられる（例えば、非特許文献１参照）。
【非特許文献１】松下電工株式会社、ＨＦＤ８０００Ｃ、［online］、あかりと空調の専門店世界電気、［平成１８年９月１日］、インターネット（http://www.sekaidenki.com/kensaku/showimg.php?MakerID=1&kataban=HFD8000C）
【発明の開示】
【発明が解決しようとする課題】
【０００３】
上記のような多角形状の照明器具においては、外観や配光などの理由により部屋の隅と照明器具の角とを合わせるように配置することが望まれる。しかしながら照明器具を吊り下げるためのワイヤーの一端が天井に固定されているため、照明器具の向きを変えるのには向いていない。
【０００４】
本発明は、かかる従来の問題を解消すべくなされたもので、部屋の形状に合わせて容易に方向を補正することができる多角形状の照明器具を提供することを目的とする。
【課題を解決するための手段】
【０００５】
上記の問題を解決するために請求項１の発明は、天井面に取り付けられた引掛シーリングボディーに取り付けられる引掛シーリングキャップと；前記引掛シーリングキャップに回転自在に取り付けられる回転部と；前記回転部に一端側を固定されて設けられるワイヤーと；前記ワイヤーの他端側に吊り下げられる多角形状の本体と；前記本体に取り付けられる多角形状のセードと；を具備することを特徴とする。
【０００６】
引掛シーリングボディーの形状は特に限定されず、例えば埋込引掛シーリングボディーや、丸型引掛シーリングボディーなど種々のものを使用することができる。
回転部は、例えば金属やＦＲＰなど適当な剛性をもつもので形成されることが望ましい。また、多角形状の本体を吊り下げるためのワイヤーの本数は特に限定されず、例えば３本、６本、７本など任意の本数にすることができる。
【０００７】
本体およびセードは多角形状ならば特に限定されず、平面四角形状や平面９角形状など種々の形に形成することができる。
回転部の回転範囲は特に限定されず、例えば対称範囲で４５度づつ回転するなど種々の範囲にすることができる。回転部や照明器具などに必要以上の負荷がかからないように３６０度以上回転しないような範囲であることが望ましい。
【０００８】
「必要以上の負荷がかからない」とは例えば、照明装置の場合、装置本体には電源の電力を供給するための電線が接続されているので、この電線が過度にねじれてしまわないということである。
請求項２の発明は請求項１記載の照明器具において、前記回転部と前記引掛シーリングボディーキャップとのどちらか一方に設けられた係止部と；前記回転部と前記引掛シーリングボディーキャップとのどちらか他方に設けられた前記係止部が係止する被係止部を有する回転部係止機構と；を具備することを特徴とする。
【０００９】
係止部は、例えば金属やＦＲＰなど適当な剛性をもつもので形成されることが望ましい。
係止部の形状は特に限定されず直方体状、円柱状など任意のものにできる。被係止部の形状も特に限定されず、係止部によって係止可能ならば種々の形状でよい。
また、照明器具に必要以上の負荷がかからないように、回転部が３６０以上回転しないような範囲となるように係止部と被係止部とが設けられることが望ましい。
【発明の効果】
【００１０】
請求項１の発明によれば、引掛シーリングキャップ下部に回転可能に設けた回転部の一端に照明器具本体が取り付けられたワイヤーが固定されているので、セードを取着した状態の器具本体の重量バランスが均一でないとしても、器具本体が傾くことがなく、かつ、セードを取り付けた状態の器具本体の向き補正を天井設置後に行うことができる。
【００１１】
また、器具本体の向き補正を行う際には、回転部を回転させることで照明器具の方向を容易に補正することができる。
請求項２の発明によれば、回転部に係止部と、この係止部が係止する被係止部を有する回転部係止機構を設けたので、器具本体の向きが自然にずれてしまうのを防止することができる。
【発明を実施するための最良の形態】
【００１２】
以下、本発明の照明器具の最良の形態を図面を用いて説明する。
図１は、本発明の第１の実施形態に係る照明装置の分解斜視図である。図２は本発明の第１の実施形態に係るワイヤー取付部を一部透視して示す断面図である。
【００１３】
（第１の実施形態）
本発明の第１の実施形態にかかる照明器具１は、図１及び図２に示すとおり、天井面２に取り付けられた引掛シーリングボディー３に取り付けられる引掛シーリングキャップ４と、この引掛シーリングキャップ４の下部に取り付けられる回転部としてのワイヤー取付部５と、このワイヤー取付部５から下方に向けて設けられたワイヤー６に吊り下げられる本体としての照明部１０とから主に構成されている。
【００１４】
部屋の天井に固定される引掛シーリングボディー３の下面には、図示は省略したが一対の円弧状の接続孔が形成され、この接続孔には引掛シーリングキャップ４の上面に突設された引掛金具４１が挿入される。引掛シーリングキャップ４は、略円盤状に形成されている。この引掛シーリングキャップ４の上面からは、断面略Ｌ字状の一対の引掛金具４１が突設されている。
【００１５】
これら引掛金具４１を引掛シーリング３の接続孔に挿入して所定角度だけ回動させることにより、引掛シーリングキャップ４の上面が引掛シーリング３の下面に当接した状態で、引掛金具４１が引掛シーリング３と電気的および機械的に接続される。引掛シーリングキャップ４下面中央部には、下方に向けて、一端に鍔部４３を有する円筒状の筒体４２が一体的に設けられている。
【００１６】
円筒状の筒体４２の内部には引掛シーリングキャップ４内で各引掛金具４１と電気的に接続された、照明部１０に電気を供給するための電線７が挿入されている。電線７は筒体４２下部から、照明部１０へ接続される。筒体４２には、照明部１０の水平姿勢および方向を保つための３本のワイヤー６を備えたワイヤー取付部５が回転可能に挿入される。すなわちワイヤー取付部５は、内部に空間５１を有する略円筒状に形成されており、中央部に設けられた孔に筒体４２が挿入される。
【００１７】
ワイヤー取付部５下面の中央部付近には、筒体４２の一端に設けられた鍔部４３が嵌合するような凹部５２が形成されている。すなわちワイヤー取付部５は鍔部４３が凹部５２に嵌合することによって保持される。ワイヤー取付部５の回転時には、凹部５２と鍔部４３とが当接した状態で回転することになる。
【００１８】
ワイヤー取付部５下面には照明部１０を吊り下げる為のワイヤー６の一端が、ワイヤー取付部５内部の空間５１まで挿入されるためのワイヤー挿入孔５３が所定数設けられている。このワイヤー挿入孔５３にはワイヤー６の一端が挿入される。ワイヤー挿入孔５３に挿入されたワイヤー６の一端には、ワイヤー６を固定するようにワイヤー止め８が設けられている。
【００１９】
ワイヤー止め８はワイヤー挿入孔５３よりも大きく形成されているため、照明部１０を吊り下げたときにワイヤー６が抜けてしまうことがない。
なお、ワイヤー取付部５内の空間５１は一体的に形成されなくともよく、一つのワイヤー６と他のワイヤー６との間に仕切り壁を設けてもよい。仕切り壁を設けることで、ワイヤー取付部５の強度を増すことができる。
【００２０】
ワイヤー６の他端側には照明部１０が取り付けられる。すなわち照明部１０は、ワイヤー６に取り付けられることによって、結果としてワイヤー取付部５によって吊り下げられることになる。
照明部１０とワイヤー６との取り付け方法は、例えば以下Ａ−Ｄに示すような方法を用いることができる。
【００２１】
Ａ．ワイヤー６および照明部１０のどちらかにオスコネクタとメスコネクタのいずれかを設置する。
Ｂ．バックルなどを用いて取り付ける。
Ｃ．ワイヤー６の一端にフックを設け、照明部１０に引っ掛ける。
Ｄ．ワイヤー６の一端と照明部１０を溶接する。
【００２２】
照明部１０は、本体としての平面略四角状のシャーシ１１とこのシャーシ１１の外周を覆うように取り付けられる化粧枠１２と、複数の光源１３の取り付け用のホルダー１４と、このホルダー１４に取り付けられる光源１３と、光源１３を覆うように化粧枠１２下面に取り付けられるセード１５などから構成されている。
【００２３】
シャーシ１１は、平面略四角形状ものに限られず、平面略五角形や、平面略八角形など、多角形状のものならば任意のものが適用可能である。シャーシ１１の中央部には点灯回路を収容した点灯回路収容部１６が同心的に設けられている。点灯回路収容部１６の下面には、シャーシ１１の中心からほぼ等距離でかつ所定間隔を隔ててホルダー１４が環状に配設されている。
【００２４】
ホルダー１４には略四角状の光源１３が取り付けられる。光源１３は蛍光灯であることが望ましいが特に限定されず、ハロゲン電球やＬＥＤなど種々のものを適宜用いることができる。また、適宜用いられた光源１３の種類によってホルダー１４の配列や形状なども適宜変更が可能である。
【００２５】
さらに、光源１３として蛍光灯を適用した場合、蛍光灯の形状は特に限定されず、直管状の蛍光灯や、丸型蛍光灯、角型蛍光灯など種々のものが適用でき、もちろんこの形状に合わせてホルダー１４の配列や形状は適宜変更可能である。
【００２６】
点灯回路収容部１６の下面の中央部付近にはリモコン受光部１７が設けられている。リモコン受光部１７は、リモコン１８から発行された赤外線通信の動作コマンドを受信する。動作コマンドは、例えば光源１３の点消灯、調光などを行うためのコマンドである。なお、光源１３の点消灯、調光はリモコンを使用して行うのみならず、例えばプルスイッチを照明部１０の所定の箇所に設け、このプルスイッチの操作によって光源１３の点消灯、調光を行うようにしてもよい。
【００２７】
化粧枠１２は照明部１０の装飾性を向上するためのものであり、天然木あるいは樹脂などで形成されシャーシ１１外周を覆うように取り付けられる。化粧枠１２は装飾性を向上させるために適宜意匠が施されている。
セード１５は、例えば透明または半透明のアクリル樹脂などで光源１３およびシャーシ１１を覆う大きさ、形状に形成されている。
【００２８】
セード１５は、光を拡散し光透過性を有する光放射窓として機能するものであり、カバーとも言う。したがって、この実施形態のセード１５は、シャーシ１１に対応した略四角形状となる。セード１５は、化粧枠１２下面の四隅にねじなどによって取り付けられる。
すなわち、照明部１０は、シャーシ１１と化粧枠１２とセード１５とがそれぞれ一体的に固定される構造を有している。
【００２９】
なお、セード１５の取り付け箇所は化粧枠１２下面でなくとも、シャーシ１１の形状などによっては、シャーシ１１下面にねじなどで取り付けることもできる。
以上のように構成された照明器具１では、ワイヤー取付部５は照明部１０の自重によって下方向へ力が加わっているため、使用者によって力を加えられない限り、自然に回転してしまうことはない。
【００３０】
そこで照明部１０（照明器具１）の方向の調整を行いたい時は、引掛シーリングキャップ４を片手で押さえた状態で、ワイヤー取付部５を右および左いずれかの任意の方向へ所望の角度ずらす（回転させる）。
ワイヤー取付部５を所望の角度ずらす（回転させる）ことによって、ワイヤー６とこのワイヤー６に取り付けられた照明部１０が回転するので使用者は照明部１０の方向調整を容易に行うことができる。
【００３１】
この照明器具１では電線７が引掛シーリングキャップ４の筒体４２内を貫通して照明部１０へ接続されているため、電線７がワイヤー取付部５に接触することがない。即ちワイヤー取付部５の回転の際に電線７が回転の邪魔をすることがない。
照明部１０の方向調整を行う際に、引掛シーリングキャップ４を手で抑えずにワイヤー取付部５を回転させると、回転させる方向によっては引掛シーリングボディー３から引掛シーリングキャップ４が外れてしまう可能性がある。
【００３２】
そこで、引掛シーリングボディー３および引掛シーリングキャップ４とを固定する機構を、引掛シーリングキャップ４に設けるようにしてもよい。このことにより引掛シーリングキャップ４を抑えずにワイヤー取付部５を回転させても引掛シーリングボディー３から引掛シーリングキャップ４が外れてしまうことがない。
【００３３】
なお、ワイヤー取付部５の回転は、電線７が過度にねじれてしまわないように３６０度以上回転しないような範囲であることが望ましい。
【００３４】
（第２の実施形態）
次に図３及び図４を用いてこの発明にかかる第２の実施形態を説明する。
図３は本発明の第２の実施形態に係るワイヤー取付部を一部透視して示す断面図である。図４は、本発明の第２の実施形態に係るワイヤー取付部の一部拡大図である。
【００３５】
すなわち第２の実施形態の照明器具１は、第１の実施形態のワイヤー取付部５および引掛シーリングキャップ４の形状を一部変形させた変形例である。その他の構造は第１の実施形態と同じであるので、図２と対応する部分に同一符号を付して重複する説明を省略する。
【００３６】
この実施の形態のワイヤー取付部５の、引掛シーリングキャップ４の筒体４２の一端に形成された鍔部４３と当接される係止部としての凹部５２の所定の箇所には回転部係止機構の一部である被係止部としての突起５４が設けられている。また、突起５４の外側には、この突起５４の高さよりも高い突起５５が複数（少なくとも一つ以上）設けられている。
【００３７】
突起５４は、ワイヤー取付部５の凹部５２の円周方向に沿って所定の間隔で設けられている。突起５５は、突起５４よりも外側の位置に、円周方向に沿って所定の間隔で設けられている。ワイヤー取付部５上面と引掛シーリングキャップ４下面との間には、突起５４の高さよりもわずかに高い幅をあけたクリアランスが設けられている。
【００３８】
クリアランスを設ける方法としては、突起５４の高さ分だけ引掛シーリングキャップ４の筒体４２を長く形成する、突起５４の高さ分だけワイヤー取付部５の高さを短くする、など種々の方法が考えられる。ワイヤー取付部５に設けられた突起５４と対面する引掛シーリングキャップ４の鍔部４３上面には、筒体４２を取り囲むように円周方向に沿って所定の間隔を開けて、突起５４が嵌合可能な回転部係止機構の他部である凹部４４が多数設けられている。
【００３９】
また、凹部４４よりも外側の位置には円周方向に沿って、凹部４４よりも深い複数の溝部４５が所定の長さで形成されている。この溝部４５には突起５５が常時挿入され、ワイヤー取付部５を回転させる際には突起５５が溝部４５をスライドする。
所定の長さで形成された溝部４５を突起５５がスライドすることでワイヤー取付部５は溝部４５の長さ以上には回転しない。すなわち、溝部４５および突起５５は回転角度（距離）を調整する機構である。
【００４０】
ワイヤー取付部５は、通常時には凹部４４に突起５４が嵌合し、溝部４５には突起５５が挿入された状態で鍔部４３によって保持される。凹部４４に突起５４が嵌合することで、引掛シーリングキャップ４とワイヤー取付部５が自然にずれてしまうのを完全に防止することができる。このように形成された照明器具１では、ワイヤー取付部５を筒体４２の長手方向に沿って上方へ持ち上げると、凹部４４から突起５４が抜けるためワイヤー取付部５が回転可能になる。
【００４１】
すなわち、照明部１０（照明器具１）の方向調整はワイヤー取付部５を上方に持ち上げた後、任意の方向にワイヤー取付部５を回転させることで行う。
ワイヤー取付部５を任意の角度回転させた後は、ワイヤー取付部５に設けられた突起５４を引掛シーリングキャップ４に設けられた凹部４４に嵌合させるよう、ワイヤー取付部５を筒体４２の長手方向に沿って下方へ下げる。
【００４２】
なお、ワイヤー取付部５を上方に持ち上げ回転可能とした場合でも突起５４より高く形成された突起５５は溝部４５に挿入されたままである。よって、ワイヤー取付部５が回転されるときは、突起５５は、ワイヤー取付部５の回転に合わせて溝部４５をスライドすることになる。溝部４５を突起５５がスライドすることで、ワイヤー取付部５が必要以上に回転してしまうことがない。
【００４３】
「必要以上の回転」とは、例えば照明部１０と、照明装置１が設置された部屋が略四角形の場合、照明部１０の角部と部屋の角部とのズレは最大でも４５度であるので照明部１０の方向補正に必要なワイヤー取付部５の回転角度は左右４５度づつ最大９０度程度でよく、９０度以上の回転は必要ないということである。
【００４４】
すなわち所定の長さで設けられた溝部４５によって突起５５のスライド範囲が制限される為、結果的にワイヤー取付部５（照明部１０）が必要以上に回転するのを防止することができる。必要以上に回転を防止することで結果的に電線７が過度にねじれてしまうのを防止することができる。突起５４が凹部４４に嵌合する瞬間に適度な振動が手に伝わるためワイヤー取付部５の回転が判りやすくなり、方向調整を更に容易に行うことができる。
【００４５】
また、この実施例ではワイヤー取付部５に突起５４を設け、引掛シーリングキャップ４に凹部４４を設けたがこれに限定されることなく突起５４と凹部４４は、引掛シーリングキャップ４又はワイヤー取付部５の何れかに形成されていればよい。
突起５５と溝部４５も同様に引掛シーリングキャップ４又はワイヤー取付部５の何れかに形成されていればよい。
【００４６】
ワイヤー取付部５には突起５４と突起５５とを設けることが望ましいが、これに限定されず突起５４のみ設ける又は突起５５のみを設けるようにしてもよい。
また、引掛シーリングキャップ４には凹部４４と溝部４５とを設けることが望ましいが限定されず、少なくともどちらか一方が設けられていればよい。さらに、突起５４および突起５５の形状は特に限定されず直方体状、円柱状など任意のものにできる。
【００４７】
凹部４４および溝部４５の形状も突起５４および突起５５が嵌合又は挿入可能ならば任意の形状に形成することができる。
（その他の実施形態）
本発明の実施形態は、上記いずれの実施形態に限られず、拡張変更が可能である。拡張、変更した実施形態も本発明の技術的範囲に含まれる。
【００４８】
例えば、引掛シーリングキャップ４とワイヤー取付部５との当接面にベアリングなどの回転摩擦を低減させるような機構を設けるようにしてもよい。このような機構を設けることでワイヤー取付部５をスムーズに回転させることが可能となる。
【図面の簡単な説明】
【００４９】
【図１】本発明の１つの実施形態に係る照明装置の分解斜視図。
【図２】本発明の１つの実施形態に係るワイヤー取付部を一部透視して示す断面図。
【図３】本発明の第２の実施形態に係るワイヤー取付部を一部透視して示す断面図。
【図４】本発明の第２の実施形態に係るワイヤー取付部の一部拡大図である。
【符号の説明】
【００５０】
１…照明器具、２…天井面、３…引掛シーリングボディー、４…引掛シーリングキャップ、５…ワイヤー取付部、６…ワイヤー、７…電線、８…ワイヤー止め、１０…照明部、１１…シャーシ、１２…化粧枠、１３…光源、１４…ホルダー、１５…セード、１６…点灯回路収容部、１７…リモコン受光部、１８…リモコン、４１…引掛金具、４２…筒体、４３…鍔部、４４，５２…凹部、４５…溝部、５１…空間、５３…ワイヤー挿入孔、５４、５５…突起。
【図１】
2008071604.tif 000003
【図２】
2008071604.tif 000004
【図３】
2008071604.tif 000005
【図４】
2008071604.tif 000006